(57)【要約】本発明は、インク組成物の色を制御するためのインク添加物を含有していて媒体の独立性を実現し、ブラック染料の中立性を改善し、且つ染料セットのための個別の染料選択性を改善できるようにしたインク組成物に関連しており、そのインク組成物を作り出す方法、及びインク添加物含有のインク組成物を利用する方法が開示される。【特許請求の範囲】
【請求項１】
インク組成物を形成する方法であって、
着色剤の色を制御する能力があることによってインク添加物を選択するステップ、及び
前記着色剤を含むインクビヒクルと前記インク添加物とを混合し、前記インク組成物を形成するステップ
を含む、方法。
【請求項２】
前記着色剤が染料である、請求項１に記載の方法。
【請求項３】
前記インク添加物が、アミン、有機塩、無機塩、アミンを生成できる化合物、塩を生成できる化合物、一価の塩、及びそれらの任意の組合せからなる群から選択される、請求項１又は２に記載の方法。
【請求項４】
前記インク添加物が、脂肪族、芳香族、第一、第二、第三及びアミン酸化物を含むアミン類、プロトンスポンジ（１，８−ビス−〔ジメチルアミノ〕ナフタレン）、トリエタノールアミン、ジエタノールアミン、trizma緩衝剤、２，６−ジメチルアミノピリジン、３−ピリジルカルビノール、Ｎ−メチル−１，３−プロパンジアミン、ＥＤＴＡ、ピペリジン、ピペラジン、ピリジン−Ｎ−オキシド、１−メチル−２−チオイミダゾール、イミダゾ〔１，２−ａ〕ピリジン、Ｎ，Ｎ−ジエチルエチレンジアミン、グリシン、ＤＬ−スレオニン、イミダゾール、ＭＯＰＳ緩衝剤、６−アミノ−１−ナフトール−３−スルホン酸、６−アミノ−４−ヒドロキシ−２−ナフタレン−スルホン酸、Dequest 2054、ピペラジン−２−カルボン酸、Ｎ−（２−ヒドロキシエチル）ピペラジン−Ｎ’−（２−エタンスルホン酸）、ホモピペラジン、４−ピペリジンエタノール、イソニペコチン酸、１，４−ジメチルピペラジン、４−（２−ヒドロキシエチル）ピペラジン−１−プロパンスルホン酸、トリエチレンジアミン（ＤＡＢＣＯ）、イソニコチン酸、ピペラジン−１，４−ビス（２−エタンスルホン酸）（すなわちＰＩＰＥＳ緩衝剤）、トリエチルアミン、酢酸ナトリウム、リン酸二水素ナトリウム、オクタン酸ナトリウム、シアノ酢酸、４，５−ジヒドロキシ−１，３−ベンゼンジスルホン酸、２−アセチルシクロペンタノン、６−アミノ−１−ナフトール−３−スルホン酸、６−アミノ−４−ヒドロキシ−２−ナフタレンスルホン酸、グルコヘプトン酸、ラクトビオン酸、粘液酸、塩化ナトリウム、コハク酸、酪酸、メタンスルホン酸ナトリウム、グルコン酸ナトリム、硝酸ナトリウム、１，３−ベンゼンジスルホン酸、アントラキノン−２−スルホン酸、安息香酸ナトリウム、１−ヒドロキシ−２−ナフトエ酸、粘液酸ナトリウム、並びにそれらの任意の組合せからなる群から選択される、請求項１から３のいずれか１項に記載の方法。
【請求項５】
前記インク添加物が、前記インク組成物中に約０．１％〜約８％の量で含まれる、請求項１から４のいずれか１項に記載の方法。
【請求項６】
前記インク組成物が、約８〜約８．５のｐＨを有する、請求項１から５のいずれか１項に記載の方法。
【請求項７】
前記インク組成物が、前記添加物を含まない場合のインク組成物の導電率を上回る約５ｍＳ／ｃｍ〜約６０ｍＳ／ｃｍの導電率変化を有する、請求項１から６のいずれか１項に記載の方法。
【請求項８】
前記着色剤の色を制御する能力があることによってインク添加物を選択するステップが、
前記インク添加物を含まない第１のインク組成物を印刷媒体上に設けるステップ、
前記インク添加物を含む第２のインク組成物を印刷媒体上に設けるステップ、及び
前記第１のインク組成物の色を前記第２のインク組成物の色と比較するステップ
を含む、請求項１から７のいずれか１項に記載の方法。
【請求項９】
請求項１から８のいずれか１項に記載の方法で形成されたインク組成物。
【請求項１０】
印刷媒体、及び
前記印刷媒体上で設けることに適するよう構成されている、請求項９に記載のインク組成物を含む、インクジェット印刷システム。
【発明の詳細な説明】
【技術分野】
【０００１】
本発明は、概括的には、インクジェット印刷に関し、より詳細には、色を制御するために使用されるインクジェットインク用のインク添加物及びそのインク添加物で色を制御し、普通紙及び特殊媒体にわたって媒体の独立性を得る方法に関する。
【背景技術】
【０００２】
インクジェット印刷は、英数字、ベタ領域、画像及びその他のパターンを形成するべく印刷媒体上にインクの液滴を堆積させる印刷工程である。そのインクは、正確な色合い及び高い彩度といった良好な色特性を有する印刷画像をもたらし得るものでなければならない。
【０００３】
普通紙上に色を形成するにはインクが必要であるが、インクは、また、透明フィルム、被覆紙及び写真紙を含む特殊媒体のような他の印刷媒体又は条件にも使うことができなければならない。これらの媒体のいくつかでは、適当なインクビヒクルの設計によって有効な印刷が得られるが、その他の印刷条件を満足させるには、そのインクに使用される着色剤を適切に選択し、組み合せなければならない。着色剤の選択は、印刷システム要件、例えば十分な永続性又は他の要因による追加的な制約が着色剤の選択にかけられる場合には、なおさら重要となる。
【０００４】
多くの場合、インクに使用される一次着色剤（primary colorant）は真のものであり得ないため、色性能を、インクのカラーマップを変更することによって解決することはできない。さらに、インクによっては、所望の二次又は三次色を全く達成できないものもあり得る。写真紙のようなタイプの媒体では、その問題が一層悪化され得る。
【０００５】
色の要件を満足できるようインクに適応させるべく媒体を変えることができる場合もあるが、これは、性能の他の観点からすれば有害な変更となり得る。したがって、より良好な色表現を有するインクジェットインクが必要とされる。
【０００６】
さらに、カラーインクセットは、典型的には少なくとも３〜４の異なる着色剤を必要とし、その４番目のものは、典型的にはブラックを含む。これらの着色剤のいくつかは、適切な性能パラメータを有し得るが、既に存在している着色剤と調和するのに適した色をもつ追加的な着色剤は、同様の良好な性能を有していない場合がある。その場合、適当な性能を有するが色が適当でない異なる着色剤では、その色を、インクセットの色域が最適化されるように調節することがある。
【発明の開示】
【０００７】
一実施形態では、インク組成物は、インクビヒクルと、着色剤と、印刷媒体上の着色剤によって生成される色を制御するための手段とを含む。
【０００８】
別の実施形態では、インク組成物を作るプロセスは、着色剤の色を制御する能力があることを根拠にインク添加物を選択することを含む。このプロセスは、インクビヒクルを着色剤及びインク添加物と混合し、これにより、インク組成物を製造するステップも含む。
【０００９】
さらに別の実施形態では、印刷媒体上に印刷されるインク組成物の色を制御するための方法が、着色剤の色を制御する能力があることを根拠にインク添加物を選択し、選択されたインク添加物、着色剤及びインクビヒクルを混合し、これにより、インク組成物を製造するステップを含む。当該方法は、インク組成物を印刷媒体上に配置するステップをさらに含む。
【００１０】
さらなる実施形態では、インクジェット印刷システムが、印刷媒体と、その印刷媒体上に印刷されるよう構成されたインク組成物とを含む。このインク組成物は、インクビヒクルと、そのインクビヒクル中に混合された着色剤と、印刷媒体上で着色剤によって生成された色を制御するためのインク添加物とを含む。
【００１１】
本明細書には、本発明とされるものを詳細に指摘し且つ明白に特許請求するための特許請求の範囲を記載しているが、本発明の利点は、添付図面と関連させて以下の記述を読むことによって、容易に確かめることができる。
【００１２】
種々の実施形態の各々において、本発明は、インク添加物、並びにそのインク添加物を使用して印刷媒体上のインク組成物の色を制御する方法を対象とする。何らかの特定の理論の束縛なしに、ここに記載されたインク添加物の少なくとも１つの実施形態では、着色剤を含むインク組成物で印刷媒体上に印刷すると、そのインク添加物は、着色剤が印刷媒体とどのように相互作用するかを変化させ、それにより、着色剤の可視色を変化させるものと理解される。
【００１３】
ここで使用される場合、「液体ビヒクル」又は「インクビヒクル」は、インクジェットインクを形成するために着色剤、ラテックス粒子、コロイド及び／又はその他のインクジェットインクの構成成分がその中に分散される液体を意味するものとする。適当な液体ビヒクル及びインクビヒクル成分は、非限定的に、界面活性剤、共溶媒、緩衝剤、殺生物剤、金属イオン封鎖剤、湿潤剤、粘度修正剤、水及びそれらの任意の組合せを含む。インクビヒクルとして作用し得る又はその中で使用され得るその他の化合物は、非限定的に、有機溶媒、界面活性剤、金属キレータ及びそれらの任意の組合せを含む。当業者に明らかであるように、インクビヒクル及びここに記載の様々な構成成分の相対量は、インクジェットプリンタの特定のペン構造に適合させるべく変えることができる。
【００１４】
一実施形態で、水は、本発明のインクビヒクル又はインク組成物全体の実質的に大部分をなしていてよい。例えば、水は、インク組成物の約５〜約９５重量％の量の純水又は脱イオン水であってよい。
【００１５】
別の実施形態では、インク組成物に溶媒又は共溶媒が含まれていてよい。使用できる共溶媒の種類は、脂肪族アルコール、芳香族アルコール、ジオール、グリコールエーテル、ポリグリコールエーテル、ホルムアミド、アセトアミド、長鎖アルコール及びそれらの任意の組合せを含む。このような溶媒又は共溶媒の例は、第一脂肪族アルコール、第二脂肪族アルコール、１，２−アルコール、１，３−アルコール、１，５−アルコール、エチレングリコールアルキルエーテル、プロピレングリコールアルキルエーテル、ポリエチレングリコールアルキルエーテルの高次の同族体（higher homolog）、置換及び未置換のホルムアミド、置換及び未置換のアセトアミド、トリメチロールプロパン、２−ピロリジノン、１，５−ペンタンジオール並びにそれらの任意の組合せを含む。
【００１６】
さらに別の実施形態では、インク組成物の界面活性剤成分の有効量は、単一の界面活性剤成分又は界面活性剤の混合物を用いて得ることができる。一般に、界面活性剤は、着色剤及び／又はラテックス粒子の分散安定度を高めるために、また印刷媒体中へのインク組成物の浸透度を高めるために使用することができる。非限定的に、陽イオン性、陰イオン性、両性イオン性又は非イオン性の界面活性剤を含む、広範囲の界面活性剤の種類を使用することができる。界面活性剤の非限定な例は、アルキルポリエチレンオキシド、アルキルフェニルポリエチレンオキシド、ポリエチレンオキシドブロック共重合体、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコンコポリオール、置換アミンオキシド、Rhodafac、ドデシル硫酸ナトリウム、Triton N-及びX-シリーズ並びにそれらの任意の組合せを含む。
【００１７】
本発明の別の態様において、インク組成物は、微生物の成長を阻害することができる殺生物剤、殺菌剤又はその他の抗菌剤を含んでいてよい。使用することができる殺生物剤の非限定的な例としては、Hals America（Piscataway, N.J.）から入手可能なNUOSEPT 95、Arch Chemicals（Wilmington, Del.）から入手可能なPROXEL GXLと、登録商標UCARCIDE 250としてUnion Carbide Company（Bound Brook, N.J.）から市販のグルタルアルデヒド、及びR.T.Vanderbilt Co.から市販されているVancide、及びそれらの任意の組合せを含むが、これらに限定されない。
【００１８】
本発明のさらに別の態様では、インク組成物は緩衝剤を含んでいてよい。インク組成物中の緩衝剤は、ｐＨを変えるのに用いることができる。この緩衝剤は、有機系の生物緩衝剤又は無機緩衝剤であり得る。使用することができる緩衝剤の非限定的な例は、Aldrich Chemical（Milwaukee, Wis.）から入手可能な、Trizma塩基、４−モルホリンエタンスルホン酸（ＭＥＳ）、４−モルホリンプロパンスルホン酸（ＭＯＰＳ）及びそれらの組合せを含む。
【００１９】
本発明の別の態様では、インク組成物は金属イオン封鎖剤（sequestering agent）を含んでいてよい。金属イオン封鎖剤の一例は、インク組成物に存在する金属キレート化剤である。金属キレート化剤は、インク組成物中に存在し得る遷移金属の陽イオンを結合するのに使用することができる。金属キレート化剤の非限定的な例は、エチレンジアミン四酢酸（ＥＤＴＡ）、ジエチレントリアミン五酢酸（ＤＴＰＡ）、トランス−１，２−ジアミノシクロヘキサン四酢酸（ＣＤＴＡ）、（エチレンジオキシ）ジエチレンジニトリロ四酢酸（ＥＧＴＡ）、遷移金属陽イオンを結合するその他のキレータ類及びそれらの任意の組合せを含む。
【００２０】
ここで使用する場合、「有効量」という語は、所望の効果を達成するのに十分な物質又は薬剤の最小の量又は濃度を意味する。量、濃度及びその他の数値データは、本明細書において範囲の形式で表現又は提示することができる。しかし、そのような範囲の形式は単に便宜上用いられるものであり、よって、範囲の限界に関連する数値が含まれるだけでなく、その範囲に含まれる個々の数値又は副次的な範囲も全て、それらの数値及び副次的な範囲がそれぞれ明瞭に記載されているように包含されている、と柔軟に解釈されるべきであると理解されたい。
【００２１】
一実施形態において、インク組成物は、有効量のインクビヒクルと、そのインクビヒクルに混合された着色剤と、その着色剤によって生成された色を制御するためのインク添加物とを含む。様々な実施形態で、このインク添加物は、インク組成物の約０．１〜約１０重量％の範囲でインク組成物中に存在していてよい。
【００２２】
インク組成物の着色剤によって生成された色を制御するのに用いられるインク添加物の一例は、非限定的に、脂肪族、芳香族、第一、第二、第三のもの及びアミン酸化物を含むアミン類、プロトンスポンジ（１，８−ビス−〔ジメチルアミノ〕ナフタレン）、トリエタノールアミン、ジエタノールアミン、trizma緩衝剤、２，６−ジメチルアミノピリジン（ＤＭＡＰ）、３−ピリジルカルビノール、Ｎ−メチル−１，３−プロパンジアミン、ＥＤＴＡ、ピペリジン、ピペラジン、ピリジン−Ｎ−オキシド、１−メチル−２−チオイミダゾール、イミダゾ〔１，２−ａ〕ピリジン、Ｎ，Ｎ−ジエチルエチレンジアミン、グリシン、ＤＬ−スレオニン、イミダゾール、ＭＯＰＳ緩衝剤、６−アミノ−１−ナフトール−３−スルホン酸、６−アミノ−４−ヒドロキシ−２−ナフタレンスルホン酸、Ｄｅｑｕｅｓｔ ２０５４、ピペラジン−２−カルボン酸、Ｎ−（２−ヒドロキシエチル）ピペラジン−Ｎ’−（２−エタンスルホン酸）、ホモピペラジン、４−ピペリジンエタノール、イソニペコチン酸、１，４−ジメチルピペラジン、４−（２−ヒドロキシエチル）ピペラジン−１−プロパンスルホン酸、トリエチレンジアミン（ＤＡＢＣＯ）、イソニコチン酸、ピペラジン−１，４−ビス（２−エタンスルホン酸）、インク組成物中の有機又は無機塩であり且つ／又はインク組成物が印刷される媒体上への堆積時に塩を形成できる化合物であって下記を含む化合物、トリエチルアミン、酢酸ナトリウム、リン酸二水素ナトリウム、オクタン酸ナトリウム、シアノ酢酸、４，５−ジヒドロキシ−１，３−ベンゼンジスルホン酸、２−アセチルシクロペンタノン、６−アミノ−１−ナフトール−３−スルホン酸、６−アミノ−４−ヒドロキシ−２−ナフタレンスルホン酸、グルコヘプトン酸、ラクトビオン酸、粘液酸（ムチン酸）、塩化ナトリウム、コハク酸、酪酸、メタンスルホン酸ナトリウム、グルコン酸ナトリム、硝酸ナトリウム、１，３−ベンゼン−ジスルホン酸、アントラキノン−２−スルホン酸、安息香酸ナトリウム、１−ヒドロキシ−２−ナフトエ酸、粘液酸ナトリウム、並びにそれらの任意の組合せを含む。
【００２３】
使用することができる他のインク添加物は、インク組成物中で塩及び／又はアミンを形成できる、例えばカプロラクタム（つまり開環によって形成）、尿素及びその誘導体（つまり分解によって形成）、並びにそれらの任意の組合せといった化合物を含む。
【００２４】
所望の色を獲得又は制御するために、インク組成物の色を制御するのに使用されるインク添加物の種類及び量を、慣用の所定の実験を利用して変更し決定できることは、当業者には明らかであろう。例えば、異なる種々の着色剤に対して異なる種々のインク添加物を選択することができる。さらに、任意の着色剤、インク添加物及び印刷媒体に関する簡単な実験を利用して、適切なインク添加物及びインク組成物に入れられるべきインク添加物の濃度を決定することができる。一実施形態で、このインク添加物は、インク添加物を含まない第１のインク組成物を印刷媒体上に配置し、インク添加物を含む第２のインク組成物を印刷媒体上に配置し、第１のインク組成物の色を第２インク組成物の色と比較することにより選択される。
【００２５】
別の実施形態では、インクビヒクルと、着色剤と、着色剤によって生成された色を制御するためのインク添加物とを含むインク組成物が、インクジェットプリンタを利用して印刷媒体上に塗布又は印刷される。印刷媒体は、非限定的に、HP Premium Glossy Photo Paper（ＨＰＰＧＰＰ）、Hewlett Packard Plain Paper（ＨＰＰＰ）、並びにEpson Premium Glossy Photo Paper（ＥＰＧＰＰ）及びＨＰ実験用媒体１（HP experimental medium 1）のような多孔質媒体を含んでいてよい。
【００２６】
別の実施形態では、インク調合物の着色剤は染料ベースである。使用できる着色剤の非限定的な例は、Fast Black 2、DB199Na、Projet cyan 485、RR23及びAR52の混合物、Y104、M700、Projet K820、Projet K287、DJR814、K-1334並びにそれらの任意の組合せを含む。着色剤として使用できるその他の染料は、非限定的に、スルホン酸塩及びカル本酸塩の染料といった水溶性染料を含む。非限定的な例は、Sulforhodamine B、Acid Blue 113、Acid Blue 29、Acid Red 4、Rose Bengal、Acid Yellow 17、Acid Yellow 29、Acid Yellow 42、Acridine Yellow G、Nitro Blue Tetrazolium Chloride Monohydrate又はNitro BT、Rhodamine 6G、Rhodamine 123、Rhodamine B、Rhodamine B Isocyanate、Safranine O、Azure B、Azure B Eosinate、Basic Blue 47、Basic Blue 66、Thioflacin T、Auramine O、Direct Yellow 132、Direct Blue 199、Magenta 377、Acid Red 52（AR52）、並びにそれらの任意の組合せを含む。使用することができるその他の染料は、水不溶性染料、例えばアゾ、キサンテン、メタン、ポリメチン及びアントロキノン染料を含む。
【００２７】
本発明のさらに別の実施形態では、インクジェット印刷システムは、印刷媒体及びその印刷媒体上に印刷できるよう構成されたインク組成物を含んでいてよい。インク組成物は、液体ビヒクル、着色剤及び色を制御するためのインク添加物を含んでいてよい。
【００２８】
別の実施形態では、印刷媒体上に印刷されるインク組成物の着色剤の色を制御する方法は、印刷媒体上へインク組成物を噴射するステップを含む。このインク組成物は、液体ビヒクル、着色剤及び色を制御するためのインク添加物を含んでいてよい。
【発明を実施するための最良の形態】
【００２９】
以下の実施例は、本発明に従ってインクジェットプリンタのペンを用いて媒体上にインク組成物を印刷するためのインク組成物及び方法の種々の実施形態を記述するものである。この実施例は、単に例示的なものであって、如何なる場合にも本発明の範囲の限定を意図したものではない。以下の実施例は、別途記載がなければ、ＤＥＧ約１０％と、Triton X-100  １．５％と、Trizma塩基０．２％とを含有するインクビヒクルを使用する。実施例において、ｐＨは約８〜約８．５である。
【００３０】
実施例Ｉ
着色剤の色を制御するための様々な量のインク添加物を、Projet cyan 485染料のような着色剤を含むインクビヒクル中に混合する。この例示的な実施形態では、インク添加物は酢酸ナトリウムである。インク組成物を、多孔質の印刷媒体、例えば実験用媒体上に印刷する。酢酸ナトリウムの濃度の関数としての印刷インクに関する１５０％ベタ刷りブロックの色相角を判定する。その結果をインク添加物の濃度に関連した色変化を表示する表１に示す。
【００３１】
表１は、実験用多孔質媒体３上での、Projet cyan 485を含有するインクの酢酸ナトリウム濃度の関数としての最大色相角の例である。
【００３２】
【表１】
2009513797.tif 000002
【００３３】
表１に表示されたように、色相角はインク添加物の量の増加につれて増大する。したがって、インク添加物の濃度を高めることで着色剤の色を制御することができる。
【００３４】
実施例ＩＩ
着色剤の色を制御するためのインク添加物を含むインク組成物を、DB199染料のような着色剤を含有するインクビヒクル中で調製する。この例示的な実施形態では、インク添加物は、４，５−ジヒドロキシ−１，３−ベンゼンジスルホン酸である。インク添加物を含むインク組成物、又は添加物を含んでいない対照のインク組成物を、ＨＰＰＧＰＰのような膨潤性媒体及びＨＰＰＰのような普通紙媒体上に印刷する。
【００３５】
当業者に知られているように、色度（ｃ＊、ａ＊２及びｂ＊２の和の平方根）、又は二次元色度ダイアグラム上の色相〔ａｒｃｔａｎ（ｂ＊／ａ＊）〕及び飽和度（ｃ＊／Ｌ＊）の特性を測定若しくは特定するために、ＣＩＥのＬ＊ａ＊ｂ＊系を用いる。ａ＊は、ｘ軸、又は水平軸上での赤−緑を示し、ｂ＊は、ｙ軸若しくは垂直軸上での黄−青を示す。Ｌ＊は、ｚ軸上での明−暗を示す。インク組成物の色度、及び着色剤の色を制御する本発明のインク添加物の能力を評価するために、インク組成物を媒体上に印刷し、ＣＩＥのＬ＊ａ＊ｂ＊系を用いてその色度を評価した。図１は、印刷密度と色相角との対比を示す。
【００３６】
実施例ＩＩＩ
別の実施形態では、着色剤の色を制御するためのインク添加物を含むインク組成物を、着色剤、例えば実験用の非含金属ブラック染料を含有するインクビヒクル中で調製する。この実施形態では、インク添加物は、トリエタノールアミンである。様々な量のトリエタノールアミンを含むインク組成物を、膨潤性媒体上に印刷する。
【００３７】
別の実施形態では、ブラック染料は含金属ブラック染料を含んでいてよく、その場合、ブラック染料は、全インク組成物の約３〜５％の量で存在する。この実施形態のインク組成物は、２−ピロリドン約８％、１−（２−ヒドロキシエチル）−２−ピロリドン約８％の量のインクビヒクルをさらに含んでいてよい。インク組成物は、インク組成物のｐＨを約８に維持するための緩衝剤、及び殺生物剤をさらに含んでいてよく、この場合、インク添加物を約２．５％の量で存在させる。他の実施形態では、添加物は、トリエタノールアミン、３−ピリジルカルビノール、尿素又はそれらの任意の組合せであってよく、この場合、インク組成物は、インク添加物のこの順により赤くなる色シフトを呈し得る。
【００３８】
実施例ＩＶ
別の実施形態では、インク組成物は、約２．５％〜約５％の量でインク組成物中に存在する、着色剤の色を制御するためのインク添加物、ジエチレングリコールを約１０％含むインクビヒクル、染料、界面活性剤、例えばTriton X-100約１．５％を含む。
【００３９】
この実施形態の一例では、染料はProjet Cyan 485であってよく、インク組成物が多孔質媒体上で使用される場合、そのインク添加物は、オクタン酸ナトリウム、濃度が増すにつれてより青くなる約０．５％〜約５．５％の濃度の酢酸ナトリウム、リン酸二水素ナトリウム、トリエチルアミン、シアノ酢酸、ＭＯＰＳ緩衝剤、濃度が増すにつれてより青くなる約３％又は約６％の濃度のDequest 2054、又はそれらの任意の組合せを含んでいてよい。インク組成物が膨潤性媒体上で使用される場合、そのインク添加物は、トリエタノールアミン、濃度が増すにつれてより青くなる約０，５％〜約５．５％の濃度の酢酸ナトリウム、リン酸二水素ナトリウム、並びにそれらの任意の組合せを含んでいてよい。
【００４０】
この実施形態の別の例では、インク組成物の染料は、Y104のような、イエロー染料であってよく、インク組成物のインク添加物は、トリエタノールアミンであってよい。この例では、インク組成物は、膨潤性又は多孔性の媒体上での使用に適している。
【００４１】
この実施形態の別の例では、インク組成物の染料は、K287のようなブラック染料であってよく、インク組成物の添加物は３−ピリジルカルビノールであってよい。この例では、インク組成物は、膨潤性又は多孔性の媒体上での使用に適している。
【００４２】
この実施形態のさらに別の例では、インク組成物の染料は、AR52のようなマゼンタ染料であってよく、インク組成物のインク添加物はトリエタノールアミンであってよい。この例では、インク組成物は、膨潤性又は多孔性の媒体上での使用に適している。
【００４３】
実施例Ｖ
別の実施形態では、着色剤の色を制御するためのインク添加物を含むインク組成物を、Projet Cyan 485のようなシアン染料を有するインクビヒクル中で調製する。この実施形態では、インク添加物はトリエタノールアミンである。トリエタノールアミンを約５％含むインク組成物を、ＨＰＰＧＰＰのような膨潤性媒体及びＨＰＰＰのような普通紙上に印刷する。インク組成物に対する色相シフトを表す曲線を図２Ａに示す。
【００４４】
また、トリエタノールアミンを５％含むインク組成物を、実験用多孔質媒体２のような多孔質媒体及びＨＰＰＰ上に印刷する。インク組成物に対する色相シフトを表す曲線を図２Ｂに示す。図２Ａ及び２Ｂは、インク添加物、つまりトリエタノールアミンをインク組成物へ添加し、そのインク組成物を膨潤性又は多孔性媒体上に塗付することによって、普通紙上に印刷されたインク組成物の色に近づくことを示す。したがって、インク添加物は、特異な媒体上に印刷することによってその着色剤の色を制御することができる。
【００４５】
実施例ＶＩ
さらなる実施形態では、着色剤の色を制御するためのインク添加物を含んでいるインク組成物は、Projet Cyan 485のようなシアン染料を有するインクビヒクルで作製される。この実施形態では、インク添加物はtrizmaである。様々な濃度のインク添加物を含むインク組成物を多孔質媒体、例えばHartman上に印刷し、様々な濃度のインク添加物を有するインク組成物の色相シフトを表す曲線を図３に示す。図３は、シアン銅フタロシアニン（例えば、Projet cyan 485）の色が印刷媒体上に印刷されるインク組成物のインク添加物によってどのように制御されるかを示すものである。
【００４６】
実施例ＶＩＩ
さらに別の実施形態では、着色剤の色を制御するための３つの異なったインク添加物を含む３つのインク組成物を、実験用ブラック染料のようなブラック着色剤を含有するインクビヒクルで調製する。この実施形態では、インク添加物は、尿素、トリエタノールアミン及び３−ピリジルカルビナールである。その３つの異なったインク添加物を含むインク組成物を普通紙上に印刷する。
【００４７】
実施例ＶＩＩＩ
さらなる実施形態では、着色剤の色を制御するためのインク添加物を含むインク組成物を、含金属マゼンタ染料DJR814のようなマゼンタ染料を有するインクビヒクルで調製する。この実施形態では、インク添加物は、６−アミノ−１−ナフトール−３−スルホン酸又は６−アミノ−４−ヒドロキシ−２−ナフタレンスルホン酸である。２つの異なるインク添加物を含むインク組成物を、多孔質媒体（例えば、Epson Premium Glossy Photo Paper）上に印刷する。このインク組成物の色相シフトを表す曲線を図４に示す。
【００４８】
実施例ＩＸ
さらに別の実施形態では、着色剤の色を制御するためのインク添加物を含むインク組成物は、非含金属イエロー染料Y104のようなイエロー着色剤を含有するインクビヒクルで調製する。この実施形態では、インク添加物は、０％、２．５％又は５％の濃度で存在するトリエタノールアミンである。様々な濃度のトリエタノールアミンを含むインク組成物及び対照を膨潤性媒体（例えば、ＨＰＰＧＰＰ）上に印刷し、そのインク組成物の色相シフト値を表す曲線を図５に示す。
【００４９】
実施例Ｘ
さらに別の実施形態では、着色剤の色を制御するためのインク添加物を含むインク組成物を、非含金属マゼンタ染料AR52のようなマゼンタ着色剤を含有するインクビヒクルで調製する。インク添加物は、０％、２．５％又は５％の濃度で存在するトリエタノールアミンである。様々な濃度のトリエタノールアミンを含むインク組成物及び対照を膨潤性媒体（例えば、ＨＰＰＧＰＰ）上に印刷し、図６に示すインク組成物の色相シフト値を表す曲線を得る。
【００５０】
実施例ＸＩ
さらなる別の実施形態では、インク組成物は、約１０％の量で存在する着色剤の色を制御するためのインク添加物、着色剤（例えば染料）及びTergitol 15-S-12約１．５％を含む。この実施形態では、染料はProjet Cyan 854であってよく、インク添加物は、３−ピリジルカルビナール、ジエタノールアミン又はトリエタノールアミンであってよい。このインク組成物は、多孔質媒体上での使用に適している。
【００５１】
実施例ＸＩＩ
さらに別の実施形態では、着色剤の色を制御するためのインク添加物を含むインク組成物を、ブラック染料（例えば、Projet K820）のような着色剤を含有するインクビヒクルで調製する。インクビヒクルは、ＤＥＧ約１０％、Triton X-100  １．５％、及びTrizma約０．２％を含み、インク組成物のｐＨは約８〜約８．５に調整する。この実施形態では、インク添加物は、約５％の濃度で存在するグルコヘプトン酸又はラクトビオン酸である。これら２つのインク添加物を含むインク組成物及び対照を、媒体（例えばＥＰＧＰＰ）上に印刷する。これらのインク組成物の色相シフト値を表す曲線を図７に示す。
【００５２】
実施例ＸＩＩＩ
さらなる実施形態では、着色剤の色を制御するためのインク添加物を含んでいるインク組成物を、ブラック染料（例えば、Projet K820）のような着色剤を含有するインクビヒクルで調製する。このインクビヒクルは、ＤＥＧ約１０％、Triton X-100  １．５％及びTrizma約０．２％を含み、インク組成物のｐＨを約８〜約８．５の間に調整する。この実施形態では、インク添加物は、約１％及び約０．１％の２つの濃度で存在する粘液酸である。２種の濃度の粘液酸を含むインク組成物及び対照を、媒体（例えばＨＰＰＰ）上に印刷し、そのインク組成物の色相シフト値を表す曲線を図８に示す。この実施形態では、普通紙上でも色変化が起こり得、ブラック着色剤がより赤くなり得、これは望ましいことである。
【００５３】
実施例ＸＩＶ
さらに別の実施形態では、着色剤の色を制御するためのインク添加物を含むインク組成物を、ブラック染料（例えば、Projet K820）のような着色剤を含有するインクビヒクルで調製する。インクビヒクルは、ＤＥＧ約１０％、Triton X-100  １．５％及びTrizma約０．２％を含むものであり、インク組成物のｐＨは約８〜約８．５に調整する。この実施形態では、インク添加物を、約０．１８７％及び約０．３７３％の２つの濃度で存在する塩化ナトリウムである。２つの濃度のＮａＣｌを含むインク組成物及び対照を、媒体（例えばＥＰＧＰＰ）上に印刷する。インク組成物の色相シフト値を表す曲線を図９に示す。
【００５４】
実施例ＸＶ
さらに別の実施形態では、着色剤の色を制御するためのインク添加物を含むインク組成物を、ブラック染料（例えば、K1334）のような着色剤を含有するインクビヒクルで調製する。インクビヒクルは、ＤＥＧ約１０％、Triton X-100約１．５％及びTrizma約０．２％を含み、インク組成物のｐＨは約８〜約８．５の間に調整する。この実施形態において、インク添加物は、約５％の濃度で存在するコハク酸又は酪酸である。それぞれが２つの添加物のうち１つを含む２つのインク組成物と対照組成物を、媒体（例えばＥＰＧＰＰ）上に印刷する。そのインク組成物の色相シフト値を表す曲線を図１０に示す。
【００５５】
実施例ＸＶＩ
さらに別の実施形態では、着色剤の色を制御するためのインク添加物を含むインク組成物を、マゼンタ染料（例えば、AR52）のような着色剤を含有するインクビヒクルで調製する。インクビヒクルは、ＤＥＧ約１０％、Triton X-100約１．５％、及びTrizma約０．２％を含み、インク組成物のｐＨを約８〜約８．５に調整する。この実施形態では、インク添加物は、約５％の濃度で存在するメタンスルホン酸ナトリウム又はグルコン酸ナトリムである。それぞれが２つの添加物の一方を含む２つのインク組成物及び対照組成物を、媒体（例えばＨＰＰＧＰＰ）上に印刷する。そのインク組成物の色相シフト値を表す曲線を図１１に示す。
【００５６】
実施例ＸＶＩＩ
さらに別の実施形態では、着色剤の色を制御するためのインク添加物を含むインク組成物を、マゼンタ染料（例えば、ＡＲ５２）のような着色剤を含有するインクビヒクルで調製する。インクビヒクルは、ＤＥＧ約１０％、Triton X-100約１．５％及びTrizma約０．２％を含み、インク組成物のｐＨを約８〜約８．５に調整する。この実施形態では、インク添加物は、約５％の濃度で存在する塩化ナトリウム又は硝酸ナトリムである。それぞれが２つの添加物のうち１つを含む２つのインク組成物及び対照を、媒体（例えばＨＰＰＧＰＰ）上に印刷する。そのインク組成物の色相シフト値を表す曲線を図１２に示す。
【００５７】
実施例ＸＶＩＩＩ
さらに別の実施形態では、着色剤の色を制御するためのインク添加物を含むインク組成物を、ブラック染料（例えばK1334）のような着色剤を含有するインクビヒクルで調製する。インクビヒクルは、ＤＥＧ約１０％、Triton X-100約１．５％及びTrizma約０．２％を含み、インク組成物のｐＨを約８〜約８．５に調整する。この実施形態では、インク添加物は、約５％の濃度で存在する塩化ナトリウム又は硝酸ナトリムである。それぞれが２つの添加物のうち１つを含む２つのインク組成物及びコントロールを媒体（例えば、ＥＰＧＰＰ）上に印刷し、そのインク組成物の色相シフト値を表す曲線を図１３に示す。
【００５８】
実施例ＸＩＸ
さらに別の実施形態では、着色剤の色を制御するためのインク添加物を含むインク組成物を、ブラック染料であるK1334のような着色剤を含有するインクビヒクルで調製する。インクビヒクルは、ＤＥＧ約１０％、Triton X-100約１．５％及びTrizma約０．２％を含み、インク組成物のｐＨは、約８及び約８．５の間に調整する。この実施形態では、インク添加物は、約５％の濃度で存在するコハク酸又は酪酸である。それぞれが２つの添加物のうち１つを含む２つのインク組成物及び対照を媒体（例えばＥＰＧＰＰ）上に印刷する。
【００５９】
実施例ＸＸ
別の実施形態では、着色剤の色を制御するためのインク添加物を含むインク組成物を、マゼンタ染料（例えばM377）のような着色剤を含有するインクビヒクルで調製する。このインクビヒクルは、ＤＥＧ約１０％、Triton X-100約１．５％及びTrizma約０．２％を含み、インク組成物のｐＨを約８〜約８．５に調整する。この実施形態では、インク添加物は、約５％の濃度で存在する酢酸ナトリウム又はリン酸二水素ナトリウムである。それぞれが２つの添加物のうち１つを含む２つのインク組成物及び対照を、媒体（例えばＥＰＧＰＰ）上に印刷する。そのインク組成物の色相シフト値を表す曲線を図１４に示す。
【００６０】
実施例ＸＸＩ
別の実施形態では、着色剤の色を制御するためのインク添加物を含むインク組成物を、マゼンタ染料（例えばM377）のような着色剤を含有するインクビヒクルで調製する。このインクビヒクルは、ＤＥＧ約１０％、Triton X-100約１．５％及びTrizma約０．２％を含み、インク組成物のｐＨを約８〜約８．５に調整する。この実施形態では、インク添加物は、約５％の濃度で存在する１，３−ベンゼン−ジスルホン酸又はアントラキノン−２−スルホン酸である。それぞれが２つの添加物のうち１つを含む２つのインク組成物及び対照を、媒体（例えばＨＰＰＧＰＰ）上に印刷する。そのインク組成物の色相シフト値を表す曲線を図１５に示す。
【００６１】
実施例ＸＸＩＩ
別の実施形態では、着色剤の色を制御するためのインク添加物を含むインク組成物を、イエロー染料（例えばY104）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する１，３−ベンゼン−ジスルホン酸又はアントラキノン−２−スルホン酸である。それぞれが２つの添加物のうち１つを含む２つのインク組成物及び対照を、媒体（例えばＥＰＧＰＰ）上に印刷する。そのインク組成物の色相シフト値を表す曲線を図１６に示す。
【００６２】
実施例ＸＸＩＩＩ
さらに別の実施形態では、着色剤の色を制御するためのインク添加物を含むインク組成物を、イエロー染料（例えばY104）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する酢酸ナトリウム又はリン酸二水素ナトリウムである。それぞれが２つの添加物のうち１つを含む２つのインク組成物及び対照を、媒体（例えばＥＰＧＰＰ）上に印刷する。
【００６３】
実施例ＸＸＩＶ
さらに別の実施形態では、着色剤の色を制御するためのインク添加物を含むインク組成物を、イエロー染料（例えばY104）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５の間に調整する。この実施形態では、インク添加物は、約５％の濃度で存在する酢酸ナトリウム又はリン酸二水素ナトリウムである。それぞれが２つの添加物のうち１つを含む２つのインク組成物及びコントロールを、媒体（例えばＨＰＰＧＰＰ）上に印刷する。インク組成物の色相シフト値を表す曲線を図１７に示す。
【００６４】
実施例ＸＸＶ
さらに別の実施形態では、着色剤の色を制御するためのインク添加物を含むインク組成物を、ブラック染料（例えばProjet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する酢酸ナトリウム又はリン酸二水素ナトリウムである。それぞれが２つの添加物のうち１つを含む２つのインク組成物及び対照を、媒体（例えばＥＰＧＰＰ）上に印刷する。そのインク組成物の色相シフト値を表す曲線を図１８に示す。
【００６５】
実施例ＸＸＶＩ
さらに別の実施形態では、着色剤の色を制御するためのインク添加物を含むインク組成物を、ブラック染料（例えばProjet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する１，３−ベンゼン−ジスルホン酸又はアントラキノン−２−スルホン酸である。この実施形態では、アントラキノンでは溶解度の問題が生じ得る。２つの添加物を含むインク組成物及び対照を媒体（例えばＥＰＧＰＰ）上に印刷し、そのインク組成物の色相シフト値を表す曲線を図１９に示す。
【００６６】
実施例ＸＸＶＩＩ
さらなる別の実施形態では、着色剤の色を制御するためのインク添加物を含むインク組成物を、シアン染料であるDB199のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する安息香酸ナトリウム又は１−ヒドロキシ−２−ナフトエ酸である。それぞれが２つの添加物のうち１つを含む２つのインク組成物及びコントロール組成物を、媒体（例えばＥＰＧＰＰ）上に印刷する。
【００６７】
実施例ＸＸＶＩＩＩ
さらに別の実施形態では、着色剤の色を制御するためのインク添加物を含むインク組成物を、シアン染料（例えば、ＤＢ１９９）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する安息香酸ナトリウム又は１−ヒドロキシ−２−ナフトエ酸である。それぞれが２つの添加物のうち１つを含む２つのインク組成物及びコントロール組成物を、媒体（例えばＨＰＰＧＰＰ）上に印刷する。
【００６８】
実施例ＸＸＩＸ
さらに別の実施形態では、着色剤の色を制御するためのインク添加物を含むインク組成物を、ブラック染料（Projet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する安息香酸ナトリウム又は１−ヒドロキシ−２−ナフトエ酸である。それぞれが２つの添加物のうち１つを含む２つのインク組成物及び対照を、媒体（例えばＥＰＧＰＰ）上に印刷する。そのインク組成物の色相シフト値を表す曲線を図２０に示す。
【００６９】
実施例ＸＸＸ
さらに別の実施形態では、着色剤の色を制御するためのインク添加物を含むインク組成物を、ブラック染料（Projet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する硝酸ナトリウム又は塩化ナトリウムである。それぞれが２つの添加物のうち１つを含む２つのインク組成物及び対照を、媒体（例えばＨＰＰＧＰＰ）上に印刷する。
【００７０】
実施例ＸＸＸＩ
さらなる別の実施形態では、着色剤の色を制御するためのインク添加物を含むインク組成物を、ブラック染料（Projet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在する硝酸ナトリウム又は塩化ナトリウムである。それぞれが２つの添加物のうち１つを含む２つのインク組成物及び対照を、媒体（例えばＥＰＧＰＰ）上に印刷する。インク組成物の色相シフト値を表す曲線を図２１に示す。
【００７１】
実施例ＸＸＸＩＩ
さらなる別の実施形態では、着色剤の色を制御するためのインク添加物を含むインク組成物を、シアン染料（DB199）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約３％の濃度で存在する塩化ナトリウム又はトリエタノールアミンである。２つの添加物を含むインク組成物及びコントロールを媒体（例えばＨＰＰＧＰＰ）上に印刷し、これらのインク組成物の色相シフト値を表す曲線を図２２に示す。
【００７２】
実施例ＸＸＸＩＩＩ
別の実施形態では、着色剤の色を制御するためのインク添加物を含むインク組成物を、シアン染料であるDB199のような着色剤を含有するインクビヒクルで調製する。このインクビヒクルは、ＤＥＧ約１０％、Trito X-100  １．５％及びTrizma約０．２％を含み、インク組成物のｐＨは、約８〜約８．５に調整する。この実施形態では、インク添加物は、約５％の濃度で存在する塩化ナトリウム又はトリエタノールアミンである。それぞれが２つの添加物のうち１つを含む２つのインク組成物及びコントロールを、媒体（例えばＨＰＰＧＰＰ）上に印刷する。これらのインク組成物の色相シフト値を表す曲線を図２３に示す。
【００７３】
実施例ＸＸＸＩＶ
さらなる別の実施形態では、着色剤の色を制御するためのインク添加物を含むインク組成物を、ブラック染料（Projet K820）のような着色剤を含有するインクビヒクルで調製する。このインクビヒクルは、ＤＥＧ約１０％、Triton X-100約１．５％及びTrizma約０．２％を含み、インク組成物のｐＨは、約８〜約８．５に調整する。この実施形態では、インク添加物は、約５％の濃度で存在するグルコン酸ナトリム、メタンスルホネート、酪酸、コハク酸、硝酸ナトリウム又は塩化ナトリウムである。それぞれが前記添加物のうち１つを含むインク組成物及びコントロール組成物を、媒体上に印刷する。これらのインク組成物の色相シフト値を表す曲線を図２４に示す。
【００７４】
図２４では、色の変化又はインク添加物の色を制御する能力が、括弧内に示す導電率に従うことも示す。例えば、インク組成物中の各インク添加物についてのｍＳ／ｃｍで表された導電率は次の通り、対照  ３．７６、グルコン酸ナトリム  １１．１１、メタンスルホネート  ２８．２、コハク酸  ２８．７、硝酸ナトリウム  ４０．８、及び塩化ナトリウム  ５９．６である。インク組成物の約１．２ｍＳ／ｃｍの導電率の上昇は、色の可視変化に関連する。
【００７５】
実施例ＸＸＸＶ
さらに別の実施形態では、着色剤の色を制御するためのインク添加物を含むインク組成物を、ブラック染料（Projet K820）のような着色剤を含有するインクビヒクルで調製する。このインクビヒクルは、２−ピロリドン約２０％、Triton X-100約１．５％及びTrizma約０．２％を含み、インク組成物のｐＨは、約８〜約８．５に調整する。この実施形態では、インク添加物は、約５％の濃度で存在する粘液酸ナトリウム又はグルコン酸ナトリウムである。それぞれが２つの添加物のうち１つを含む２つのインク組成物及び対照組成物を、媒体（例えばＥＰＧＰＰ）上に印刷する。これらのインク組成物の色相シフト値を表す曲線を図２５に示す。
【００７６】
以上、本発明を、様々な例示的な実施形態並びに実施例に関して示し、説明したが、本発明に関係のある当業者には明らかである様々な追加、削除及び修正は、本明細書において示されている又は明確に記述されていなくても、添付の特許請求の範囲に包含される本発明の範囲内にあると考えられる。さらに、種々の実施形態又は実施例の要素の特徴を組合せて採用することができる。
【図面の簡単な説明】
【００７７】
【図１】本発明のインク組成物の特定の実施形態の色変化を示すグラフである。
【図２Ａ】本発明のインク組成物の特定の実施形態の色変化を示すグラフである。
【図２Ｂ】本発明のインク組成物の特定の実施形態の色変化を示すグラフである。
【図３】本発明のインク組成物の特定の実施形態の色変化を示すグラフである。
【図４】本発明のインク組成物の特定の実施形態の色変化を示すグラフである。
【図５】本発明のインク組成物の特定の実施形態の色変化を示すグラフである。
【図６】本発明のインク組成物の特定の実施形態の色変化を示すグラフである。
【図７】本発明のインク組成物の特定の実施形態の色変化を示すグラフである。
【図８】本発明のインク組成物の特定の実施形態の色変化を示すグラフである。
【図９】本発明のインク組成物の特定の実施形態の色変化を示すグラフである。
【図１０】本発明のインク組成物の特定の実施形態の色変化を示すグラフである。
【図１１】本発明のインク組成物の特定の実施形態の色変化を示すグラフである。
【図１２】種々の媒体上での本発明のインク組成物の２つの実施形態の色変化のグラフである。
【図１３】種々の媒体上での本発明のインク組成物の２つの実施形態の色変化のグラフである。
【図１４】本発明のインク組成物の特定の実施形態の色変化を示すグラフである。
【図１５】種々の媒体上での本発明のインク組成物の２つの実施形態の色変化のグラフである。
【図１６】種々の媒体上での本発明のインク組成物の２つの実施形態の色変化のグラフである。
【図１７】種々の媒体上での本発明のインク組成物の２つの実施形態の色変化のグラフである。
【図１８】種々の媒体上での本発明のインク組成物の２つの実施形態の色変化のグラフである。
【図１９】本発明のインク組成物の特定の実施形態の色変化を示すグラフである。
【図２０】種々の媒体上での本発明のインク組成物の２つの実施形態の色変化のグラフである。
【図２１】種々の媒体上での本発明のインク組成物の２つの実施形態の色変化のグラフである。
【図２２】種々の媒体上での本発明のインク組成物の２つの実施形態の色変化のグラフである。
【図２３】種々の媒体上での本発明のインク組成物の２つの実施形態の色変化のグラフである。
【図２４】本発明のインク組成物の種々の実施形態の色変化のグラフ並びにインク組成物の導電率を示す。
【図２５】本発明のインク組成物の特定の実施形態の色変化を示すグラフである
【図１】
2009513797.tif 000003
【図２Ａ】
2009513797.tif 000004
【図２Ｂ】
2009513797.tif 000005
【図３】
2009513797.tif 000006
【図４】
2009513797.tif 000007
【図５】
2009513797.tif 000008
【図６】
2009513797.tif 000009
【図７】
2009513797.tif 000010
【図８】
2009513797.tif 000011
【図９】
2009513797.tif 000012
【図１０】
2009513797.tif 000013
【図１１】
2009513797.tif 000014
【図１２】
2009513797.tif 000015
【図１３】
2009513797.tif 000016
【図１４】
2009513797.tif 000017
【図１５】
2009513797.tif 000018
【図１６】
2009513797.tif 000019
【図１７】
2009513797.tif 000020
【図１８】
2009513797.tif 000021
【図１９】
2009513797.tif 000022
【図２０】
2009513797.tif 000023
【図２１】
2009513797.tif 000024
【図２２】
2009513797.tif 000025
【図２３】
2009513797.tif 000026
【図２４】
2009513797.tif 000027
【図２５】
2009513797.tif 000028
【国際調査報告】
2009513797.tif 000029
2009513797.tif 000030
2009513797.tif 000031
2009513797.tif 000032